(57)【要約】  支持台（３）およびブラケット本体（７）を備えており、モジュール式に構成されているブラケット（１）のための、患者固有の支持台（３）の製造方法であって、ａ）好ましくは平らな支持台材料領域を準備するステップと、ｂ）支持台材料領域から少なくとも１つの半製品支持台（５）を打ち抜くため、少なくとも１つの抜き型を備えた型抜き機を準備するステップと、ｃ）型抜き機を用いて支持台材料領域から少なくとも１つの半製品支持台（５）を打ち抜くステップと、ｄ）患者の上顎および／または下顎の治療すべき歯の、特に石膏から成る患者固有のセットアップを作製するステップと、ｅ）患者の治療すべき歯のための半製品支持台（５）を選択するステップと、ｆ）支持台（３）に対し、患者の臨床の歯との形状結合を可能にする歯固有の接着面（３Ｋ）を作製するため、半製品支持台（５）とセットアップでの関連する歯との隙間（２７）を、特にプラスチックから成る充填材料で埋めるステップと、を含む方法。
2014512860.tif 000002
【特許請求の範囲】
【請求項１】
支持台（３）およびブラケット本体（７）を備えており、モジュール式に構成されているブラケット（１）のための、患者固有の支持台（３）の製造方法であって、
ａ）好ましくは平らな支持台材料領域を準備するステップと、
ｂ）前記支持台材料領域から少なくとも１つの半製品支持台（５）を打ち抜くため、少なくとも１つの抜き型を備えた型抜き機を準備するステップと、
ｃ）前記型抜き機を用いて前記支持台材料領域から少なくとも１つの半製品支持台（５）を打ち抜くステップと、
ｄ）患者の上顎および／または下顎の治療すべき歯の、特に石膏から成る患者固有のセットアップを作製するステップと、
ｅ）前記患者の治療すべき歯のための半製品支持台（５）を選択するステップと、
ｆ）前記支持台（３）に対し、前記患者の臨床の歯との形状結合を可能にする歯固有の接着面（３Ｋ）を作製するため、前記半製品支持台（５）と前記セットアップでの関連する歯との隙間（２７）を、特にプラスチックから成る充填材料で埋めるステップと、
を含む方法。
【請求項２】
ステップｃ）では、前記支持台材料領域から複数の特に同じまたは異なる半製品支持台（５）が打ち抜かれることを特徴とする請求項１に記載の方法。
【請求項３】
上顎および／または下顎のすべての歯に対してそれぞれに半製品支持台（５）が打ち抜かれることを特徴とする請求項２に記載の方法。
【請求項４】
前記充填材料が、前記半製品支持台（５）とは反対側の表面で、前記セットアップの歯に対して形状による結合が可能な形状で硬化することを特徴とする請求項１から３のいずれか一項に記載の方法。
【請求項５】
ステップｃ）の後の、少なくとも１つの前記半製品支持台（５）を特定の歯に合わせる予備調整、例えば、少なくとも１つの続くエンボスステップにおいて、特に、半製品支持台（５）を上顎および／または下顎のそれぞれの歯に合わせる予備調整を特徴とする請求項１から４のいずれか一項に記載の方法。
【請求項６】
前記予備調整が、少なくとも１つの前記半製品支持台（５）の頬／舌側の輪郭（５Ｕ）の適合を含み、これにより前記半製品支持台（５）の前記輪郭（５Ｕ）が特定の歯の大きさまたは形状に適合されることを特徴とする請求項５に記載の方法。
【請求項７】
前記予備調整が、半製品支持台（５）の選択された領域の折曲げ、特に半製品支持台（５）の近心領域および／または遠心領域の折曲げを含み、これにより前記半製品支持台（５）の近心および／または遠心の翼領域（５ｍ、５ｄ）が形成され、前記翼領域が、関連する歯を少なくとも部分的に包み込むことを特徴とする請求項５または６に記載の方法。
【請求項８】
前記予備調整が、半製品支持台（５）の咬合領域の折曲げを含み、前記咬合領域が、後に、関連する歯の咬合面に載ることを特徴とする請求項５から７のいずれか一項に記載の方法。
【請求項９】
前記予備調整が、少なくとも１つの半製品支持台（５）での舌／頬側の突出部の形成を含み、これにより例えば特定の歯の舌側の凹面／凸面の構造に適合されることを特徴とする請求項５から８のいずれか一項に記載の方法。
【請求項１０】
ステップａ）では、生体適合性の金属または生体適合性の合金、特にチタン、金、銀、またはステンレス鋼、またはコバルトクロム合金から成る支持台材料領域が準備されることを特徴とする請求項１から９のいずれか一項に記載の方法。
【請求項１１】
ステップｅ）で選択された前記半製品支持台（５）の、前記半製品支持台の形状および／または大きさの適合を含む、その関連する歯への手作業での適合を特徴とする請求項１から１０のいずれか一項に記載の方法。
【請求項１２】
患者の治療すべき歯の各々に対して、支持台（３）がセットアップにおいて作製されることを特徴とする請求項１から１１のいずれか一項に記載の方法。
【請求項１３】
それぞれの支持台（３）が、ブラケット（１）を作製するため、ブラケット本体（７）と特に接着または溶接により結合されることを特徴とする請求項１２に記載の方法。
【請求項１４】
前記ブラケット（１）が、不正咬合模型において歯にポジショニングされ、その後、前記不正咬合模型にポジショニングされた前記ブラケット（１）上に硬化性ペーストを配置することで、トランスファートレーが作製されることを特徴とする請求項１３に記載の方法。
【請求項１５】
請求項１から１４のいずれか一項に記載の方法に基づいて作製された支持台（３）。
【請求項１６】
それぞれ上顎の歯用の半製品支持台（５）を内包する少なくとも１４個、有利には１６個の半製品支持台容器（２１）の列と、それぞれ下顎の歯用の半製品支持台（５）を内包する少なくとも１４個、有利には１６個の半製品支持台容器（２１）のさらなる列とを備えた半製品支持台ライブラリー（１９）。
【請求項１７】
少なくとも１種の歯に対し、少なくとも１つのさらなる半製品支持台容器（２１）が配置されており、前記さらなる半製品支持台容器内には、例えばもう１つの大きさの、および／または翼領域（５ｍ、５ｄ）を備えた、および／または半分の咬合領域（５ｏ）を備えた半製品支持台（５）が配置されていることを特徴とする請求項１６に記載の半製品支持台ライブラリー（１９）。
【請求項１８】
前記半製品支持台容器（２１）が、マトリクス状に、特にＦＤＩ歯式に相当するように配置されていることを特徴とする請求項１６または１７に記載の半製品支持台ライブラリー（１９）。
【発明の詳細な説明】
【技術分野】
【０００１】
本発明は、患者固有の支持台（パッド）の作製方法およびこれに関連する支持台に関する。
【背景技術】
【０００２】
固定式の挟持具を用いた患者の歯列矯正治療のため、患者の治療すべき歯にブラケットを接着し、アーチワイヤによって相互につなぐ。ブラケットは、歯およびブラケット本体と結合するための支持台を備えており、ブラケット本体はアーチワイヤを収容する。
【０００３】
ブラケットとして、特定の標準値に基づいて規格化されており、したがって特定の変域幅に当てはまる患者に対して使用可能な標準ブラケットを使用することができる。しかし、例えば特許文献１〜４で開示されているように、ブラケットを患者に対して個別に作製させることもできる。
【０００４】
特許文献３は、ブラケットのための患者固有の支持台の製造方法を記載しており、この方法では、ブラケット本体に接着剤が施される。この接着剤は、硬化後にフライス加工により患者の歯の表面に適合される。代替策として、支持台を打ち抜き、続いてフライス加工により患者固有の形状にすることもできる。
【０００５】
標準ブラケットの作製が困難でないのに対し、完全に個別化されたブラケットの作製は非常に手間がかかる。一形態では、例えば掛け鉤（フック）、翼部（ウィング）、溝（スロット）、および支持台（パッド）のような個々のブラケット構成要素をコンピュータ内で提供し、その後、これらのブラケット構成要素をバーチャルなブラケットへと組み立て、このとき、これを患者の歯のバーチャルなセットアップにおいて行う。こうして形成されたバーチャルなブラケットを、実際のブラケットを作製するために３Ｄプリンタに送る。
【０００６】
標準ブラケットの場合、ブラケットが特定の患者に対して個別化されないことが不利と感じる。完全に個別化されたブラケットの場合、手間のかかる作製が不利と感じる。
【先行技術文献】
【特許文献】
【０００７】
【特許文献１】欧州特許第１４７４０６４号明細書
【特許文献２】欧州特許出願０７１１１５７２号明細書
【特許文献３】米国特許出願２００２００１０５６８号明細書
【特許文献４】欧州特許出願０８１０３２４０号明細書
【発明の概要】
【発明が解決しようとする課題】
【０００８】
したがって、本発明の課題は、患者固有の支持台を簡単に作製することである。
【課題を解決するための手段】
【０００９】
この課題は、請求項の特徴を有する方法およびこの方法に基づいて作製された支持台によって解決される。
【００１０】
支持台およびブラケット本体を備えており、モジュール式に構成されているブラケットのための、患者固有の支持台の製造方法は、下記のステップを含んでいる。
ａ）好ましくは平らな支持台材料領域を準備するステップと、
ｂ）支持台材料領域から少なくとも１つの半製品支持台を打ち抜くため、少なくとも１つの抜き型を備えた型抜き機を準備するステップと、
ｃ）型抜き機を用いて支持台材料領域から少なくとも１つの半製品支持台を打ち抜くステップと、
ｄ）患者の上顎および／または下顎の治療すべき歯の、特に石膏から成る患者固有のセットアップを作製するステップと、
ｅ）患者の治療すべき歯のための半製品支持台を選択するステップと、
ｆ）支持台に対し、患者の臨床の歯との形状結合を可能にする歯固有の接着面を作製するため、半製品支持台とセットアップでの関連する歯との隙間を、特にプラスチックから成る充填材料で埋め、好ましくは続いて硬化させるステップ。
【００１１】
ステップｃ）では、支持台材料領域から有利には複数の特に同じまたは異なる半製品支持台が打ち抜かれる。すなわち例えば特定の歯のための半製品支持台だけを打ち抜くことができる。さらに少なくとも２つの、それぞれ特定の歯、例えば歯１１および１４に対して規定されている異なる半製品支持台を打ち抜くことができる。
【００１２】
しかし、上顎および／または下顎のすべての歯に対してそれぞれに半製品支持台を打ち抜くこともできる。
【００１３】
半製品支持台は、打ち抜かれた後、さらにまたはより良好に特定の歯に適合させるため、有利には例えば少なくとも１つの続くエンボスステップにおいてさらに予備調整することができる。好ましくは、半製品支持台が上顎および／または下顎のそれぞれの歯に対して予備調整される。
【００１４】
予備調整は、少なくとも１つの半製品支持台の頬／舌側の輪郭の適合を含むことが好ましく、これにより半製品支持台のこの輪郭が特定の歯の大きさまたは形状に適合される。こうすることで、特定の歯に対して様々な大きさの半製品支持台を作製することができる。
【００１５】
予備調整は、半製品支持台の選択された領域の折曲げを含むこともできる。例えば、半製品支持台の近心領域および／または遠心領域を折り曲げることができ、これにより半製品支持台の近心および／または遠心の翼領域が形成され、この翼領域は、関連する歯を少なくとも部分的に包み込む。
【００１６】
予備調整は、半製品支持台の咬合領域の折曲げを含むこともできる。このようなブラケットを患者の歯に接着すると、この咬合領域が歯の咬合面に載る。
【００１７】
予備調整は、支持台における突出部、例えば舌側および／または頬側の突出部の形成を含むことも有利である。こうすることで半製品支持台を、例えば特定の歯の舌側の凹面／凸面の構造に適合させることができる。一例では、歯４１用のリンガルブラケットのための半製品支持台が、歯４１の舌側の凹面構造に適合するため、頬側に張り出した突出部を備えている。
【００１８】
ステップａ）では、生体適合性の金属または生体適合性の合金、特にチタン、金、銀、またはステンレス鋼、またはコバルトクロム合金から成る支持台材料領域が準備されることが有利である。
【００１９】
ステップｅ）で特定の歯のために半製品支持台が選択されると、この半製品支持台は、セットアップでのその関連する歯に好ましくはまだ手作業で適合され、この適合は、半製品支持台の形状および／または大きさの適合を含むことができる。
【００２０】
患者の治療すべき歯の各々に対してブラケットを作製するため、これらの歯のそれぞれに対する患者固有の支持台をセットアップにおいて作製する。
【００２１】
それぞれの支持台は、ブラケットを作製するため、ブラケット本体と特に接着または溶接により結合される。
【００２２】
こうして作製されたブラケットを、不正咬合模型において歯にポジショニングし、その後、トランスファートレーを作製する。好ましくは、位置異常の歯列状態を表している不正咬合模型上で、ブラケットはその支持台を歯の表面に配置しており、またたくさんのブラケットが配置されており、不正咬合模型はこの歯列状態の歯の上でブラケットがとるそれぞれの位置にブラケットを固定させる。
【００２３】
半製品支持台の迅速な選択を可能にするため、それぞれ上顎の歯用の半製品支持台を内包する少なくとも１４個、有利には１６個の半製品支持台容器の列と、それぞれ下顎の歯用の半製品支持台を内包する少なくとも１４個、有利には１６個の半製品支持台容器のさらなる列とを備えた半製品支持台ライブラリーを準備することが有利である。
【００２４】
好ましくは、少なくとも１種の歯に対し、少なくとも１つのさらなる半製品支持台容器が設けられており、このさらなる半製品支持台容器内には、例えばもう１つの大きさの、および／または翼領域を備えた、および／または半分の咬合領域を備えた半製品支持台が配置されている。
【００２５】
有利には支持台容器は、マトリクス状に、特にＦＤＩ歯式に相当するように配置されている。
【００２６】
本発明のさらなる特徴、詳細、および利点は、請求項および以下の好ましい実施形態の説明から、ならびに図面に基づいて明らかである。
【図面の簡単な説明】
【００２７】
【図１】歯２１用の半製品支持台の複数の面を示す図である。
【図２】歯２３用の半製品支持台の複数の面を示す図である。
【図３】歯２７用の半製品支持台の複数の面を示す図である。
【図４】歯３５用の半製品支持台の複数の面を示す図である。
【図５】歯３７用の半製品支持台の複数の面を示す図である。
【図６】上顎の歯１（ＯＫ  １番）用の半製品ブラケット本体の複数の面を示す図である。
【図６ａ】図６の半製品ブラケット本体から作製されたブラケット本体の複数の面を示す図である。
【図７】ＯＫまたはＵＫ  ６番（上顎または下顎の歯６）用の半製品ブラケット本体の複数の面を示す図である。
【図８】ＯＫまたはＵＫ  ７番用の半製品ブラケット本体の複数の面を示す図である。
【図８ａ】図８の半製品ブラケット本体から作製されたブラケット本体の複数の面を示す図である。
【図９】目標セットアップの透視図であり、半製品支持台が歯に配置されており、両者の隙間がプラスチックで埋められている。
【図１０】完成したブラケットが案内されている歯の透視図である。
【図１１】半製品支持台ライブラリーの上面図である。
【図１２】ブラケット本体ライブラリーの上面図である。
【発明を実施するための形態】
【００２８】
最初に、型抜き機を用いて支持台材料テープから半製品支持台を打ち抜くため、ステンレス鋼から成る支持台材料テープ（１００ｍ長、５ｃｍ幅、および０．４ｍｍ厚）と、抜き型を備えた型抜き機とを準備する。型抜き機は、支持台材料テープのうち装填された支持台材料領域から複数の同じ半製品支持台を打ち抜き、この半製品支持台の頬／舌側の輪郭は、作製されたその半製品支持台が割り当てられる歯に適合されている。支持台材料テープの代わりに、代替策として支持台材料シートを使用してもよい。
【００２９】
図１には、こうして作製された歯２１用の半製品支持台５の６つの側面図ならびに１つの透視図が示されている。この半製品支持台５は平らであり、面全体にわたって材料厚さが一定である。頬／舌側の輪郭５Ｕはほぼ三角の形状を有しており、これによりこの半製品支持台５は歯２１によく適合されている。打ち抜く際に生じた頬／舌側の輪郭５Ｕのエッジは、その後のエンボスステップにおいて取り除かれ、これによりこの輪郭５Ｕの側面が丸められる。
【００３０】
これに類似して、図２は同じ方法に基づいて作製された歯２３用の半製品支持台５を示しており、この半製品支持台５は、図１の半製品支持台とは、頬／舌側の輪郭５Ｕの形状が違うことだけが相違している。
【００３１】
図３は、歯２７用の半製品支持台５の６つの側面図ならびに１つの透視図を示している。この半製品支持台５は、図１および図２に関連して説明したのと同じ方法に基づいて作製されたが、ただしさらに続く２つの曲げステップが実施された。第１の曲げステップでは、適切な曲げ工具を備えたプレス機内で、近心の翼領域５ｍおよび遠心の翼領域５ｄを、折曲げによって形成した。第２の曲げステップでは、適切な曲げ工具を備えたプレス機内で、半製品支持台５の咬合領域５ｏを形成した。この咬合領域５ｏは、患者に装着した状態では歯２７の咬合面に載っている。
【００３２】
図４は、歯３５用の半製品支持台５の６つの側面図ならびに１つの透視図を示している。この半製品支持台５は、図１および図２に関連して説明したのと同じ方法に基づいて作製されたが、ただし続く１つの曲げステップにおいて、近心の翼領域５ｍおよび遠心の翼領域５ｄが形成された。
【００３３】
図５は、歯３７用の半製品支持台５の６つの側面図ならびに１つの透視図を示している。この半製品支持台５は、図１および図２に関連して説明したのと同じ方法に基づいて作製されたが、ただし上で図３に関連して説明したようなさらに続く２つの曲げステップが実施された。すなわち、第１の曲げステップでは、適切な曲げ工具を備えたプレス機内で、近心の翼領域５ｍおよび遠心の翼領域５ｄを、折曲げによって形成した。第２の曲げステップでは、適切な曲げ工具を備えたプレス機内で、半製品支持台５の咬合領域５ｏを形成した。この咬合領域５ｏは、患者に装着した状態では歯３７の咬合面に載っている。
【００３４】
こうして作製された半製品支持台５は、図１１に示した半製品支持台ライブラリー１９に分類して入れられる。半製品支持台ライブラリー１９は、１６×８個のマトリクス状に配置された半製品支持台容器２１を含んでいる。ＯＫＧＺ列およびＵＫＧＺ列には、それぞれ１６個の半製品支持台容器２１があり、つまり上顎および下顎のそれぞれの歯に対して半製品支持台容器２１が設けられている。半製品支持台容器２１は、歯科学におけるＦＤＩ歯式に倣って、すなわち左で８番から始まり、１番を経て右へと、もう一方の顔半分の８番まで配置されている。これに対応して半製品支持台容器は、１８から、１１および２１を経て２８まで、または４８から、４１および３１を経て３８までをもって表されている。この半製品支持台容器２１の各々に、それぞれの歯に属する半製品支持台５が入っている。
【００３５】
ＯＫＧＺ列およびＵＫＧＺ列には、大きな歯を備えた上顎または下顎のための半製品支持台５が入っている。ＯＫＫＺ列およびＵＫＫＺ列には、小さな歯を備えた上顎または下顎のための半製品支持台５が入っている。ＯＫＯＫＺ列およびＵＫＯＫＺ列には、小さな歯を備えた上顎または下顎のための咬合領域５ｏを備えた半製品支持台５が入っており、歯１７、１８、２８、２７ならびに３４、３５、３７、３８、４４、４５、４７、および４８に対してだけ存在している。ＯＫＦＧＺ列およびＵＫＦＧＺ列には、大きな歯を備えた上顎または下顎のための翼領域５ｍ、５ｄを備えた半製品支持台５が入っており、歯１４、１５、１６、１７、１８、２４、２５、２６、２７、２８ならびに３４、３５、３６、３７、３８、４４、４５、４６、４７、および４８に対してだけ存在している。
【００３６】
そして患者固有の支持台を作製するため、さらに以下のように行う。すなわち、患者の上顎および下顎からそれぞれ押し型を取り、この押し型を使って石膏模型を作製する。この石膏模型を、顎の互いに対する相対位置を反映している咬合器内にセットする（不正咬合模型）。この不正咬合模型から、治療が終わったときの予定状況を具現化した目標セットアップを作製する。この目標セットアップを作製するには、患者の不正咬合模型から歯を１本１本切り取り、その後、達成すべき目標状況に組み立て直し、これにより目標セットアップを生じさせる。
【００３７】
その後、治療すべき歯のために、半製品支持台ライブラリー１９からそれぞれ適切な半製品支持台５を取り出す。取り出した半製品支持台５を、石膏模型（目標セットアップ）の関連する歯に対し、場合によってはまだ手作業でさらに適合させ、これに関しては形状および／または大きさを適合させることができるが、さらに曲げも手作業で実施することができる。続いて、半製品支持台５を、それぞれ目標セットアップでの関連する歯の表面に保持し、図９に示したように歯と半製品支持台５の隙間２７をプラスチックから成る充填材料で埋める。こうして半製品支持台５に患者固有の接着面３Ｋができ、これにより支持台３になる。この患者固有の接着面３Ｋは、後に患者の歯に形状結合によって取り付けることができ、接着剤を用いて固定的に歯と結合させることができる。
【００３８】
こうして作製された患者固有の支持台３は、その後さらに、ブラケット本体ライブラリー２３から取り出した患者固有のブラケット本体７とそれぞれ結合させ、このブラケット本体ライブラリーは、後で説明するように半製品支持台ライブラリーに倣って構成されている。
【００３９】
図６は、ＯＫ  １番用の半製品ブラケット本体９の様々な面を示しており、この半製品ブラケット本体は、固定領域９ｆ、離隔領域９ｄ、溝１１、掛け鉤１３、および翼部１５を有している。図６ａに示した切断面１０は、３つのパラメータに基づいて配置されている切断面１０を示している。
【００４０】
図７は、ＯＫまたはＵＫ  ６番用の半製品ブラケット本体９の様々な面を示しており、この半製品ブラケット本体は、固定領域９ｆ、離隔領域９ｄ、溝１１、２つの掛け鉤１３、および２つの翼部１５を有している。
【００４１】
図８は、ＯＫまたはＵＫ  ７番用の小管（チューブ）１７の形の半製品ブラケット本体９の様々な面を示しており、この半製品ブラケット本体も離隔領域９ｄを有している。
【００４２】
半製品ブラケット本体９は、ＭＩＭ法で（代替策としてはＳｅｌｅｃｔｉｖｅ−Ｌａｓｅｒ−Ｍｅｌｔｉｎｇ法で）作製され、コバルトクロム合金から（代替策としては例えばステンレス鋼から）成っている。掛け鉤１３および翼部１５はそれぞれ、その溝１１に面した端部で材料が次第に細くなっており、これにより掛け鉤１３および翼部１５はそれぞれ溝１１の周りの適切な角度位置に、まだ手作業で曲げることができる。
【００４３】
治療に最適な溝１１をもたらすため、図６および図７の半製品ブラケット本体９を、その固定領域９ｆで支持体に固定する。支持体には約１００個を固定することができる。半製品ブラケット本体９を備えた支持体を適切な液体槽に浸し、この液体槽内ではそれぞれの半製品ブラケット本体９の溝１１がワイヤ放電加工法によって再切断される。これは、複数のサイクルにわたって行われてもよい（仕上げ加工）。こうすることで、規格の誤差許容範囲が小さい非常に精密な溝１１が生じる。
【００４４】
図８の半製品ブラケット本体は、治療のために非常に精密に作製されなければならない溝がないので、固定領域は有していない。
【００４５】
このステップの後、図６〜図８の半製品ブラケット本体９は、その溝側の端部で、（この端部に対して）対応するネガ形状内に固定され、これに関してはその代わりに反対側の端部での固定が可能である。それぞれの半製品ブラケット本体９の離隔領域９ｄを、鋸を用いて様々な角度で切断する。切断する際に３つのパラメータを調整することができる。
【００４６】
第１のパラメータは、生じる切断面から溝１１までの間隔である。この間隔をより小さく選択できればそれだけ、患者がブラケットをより知覚しにくくなる。
【００４７】
第２のパラメータは、溝１１の長手軸（近心−遠心軸）の周りの角度である。この切断角度の平均的な標準値からの相違に応じて、より多くまたはより少なくトルクがもたらされる（用語については図６を参照）。
【００４８】
第３のパラメータは、半製品ブラケット本体９の長手軸に対する垂線（咬合−歯肉軸）の周りの角度である。この切断角度の平均的な標準値からの相違に応じて、より多くまたはより少なくローテーションがもたらされる（用語については図６を参照）。
【００４９】
こうして半製品ブラケット本体９に対し、この３つのパラメータが決定され、これに対応して離隔領域９ｄを鋸で切断し、これによりブラケット本体７ができる。図６ａは、離隔領域をトルクに関しては５５°、ローテーションに関しては１５°で切断した図６の半製品ブラケット本体９を示しており、これにより図６ａのブラケット本体７ができる。図８ａは、離隔領域をトルクに関しては２０°、ローテーションに関しては１５°で切断した図８の半製品ブラケット本体９を示している。
【００５０】
こうして得られたブラケット本体７は、ブラケット本体ライブラリー２３のブラケット本体容器２５に分類して入れ（図１２）、これに関しては図６〜図８の各半製品ブラケット本体９に対してそれぞれブラケット本体ライブラリーが提供される。言い換えると、図６の半製品ブラケット本体９にはそれ専用のブラケット本体ライブラリーがあり、図７および図８の半製品ブラケット本体も同様である。
【００５１】
図１２は、半製品支持台ライブラリー１９に倣って構成されており、ブラケット本体７で満たされているブラケット本体ライブラリー２３を示している。ブラケット本体７は、ローテーションに関しては−５°〜＋５°において１°間隔で区分されており、トルクに関しては４０°〜７０°において５°間隔で区分されている。もちろんここで別の範囲および別の間隔を使用することは可能であり、特に半製品ブラケット本体９に応じて別の範囲および別の間隔を使用することもでき、つまり図６の半製品ブラケット本体９のために、図７の半製品ブラケット本体のためとは違う範囲および違う間隔を使用することができる。ブラケット本体７は支持台３と一緒に、完成したブラケット１を形成する。
【００５２】
患者固有のブラケットを作製するための方法は以下のように続いていく。セットアップでの治療すべき歯には既に患者固有の支持台３が固定されている。そこでそれぞれの支持台３のために、ブラケット本体ライブラリーから適切なブラケット本体７を取り出し、そのそれぞれの支持台３に固定的に接着させる。有利には、ブラケット本体７は「機械の指」によりそれぞれの支持台３へと案内され、次いで固定的に接着される。
【００５３】
その後、こうして完成したブラケットセットアップにより、ＯＫ模型および／またはＵＫ模型の、対応する頭側または尾側の方向からの２次元スキャン（上面図）がもたらされ、このデータに基づいて、対応するアーチワイヤをワイヤ曲げ機によって曲げることができる。
【００５４】
続いて石膏模型を水槽に浸し、これにより支持台がそれに固定的に接着されたブラケット本体と共に剥がれ、これらはその後、レーザにより互いに固定的に溶接される。
【００５５】
こうして作製されたブラケット１を、患者の石膏模型（不正咬合模型）に取り付け（図１０を参照）、そこで固定させ、好ましくは、不正咬合模型に配置されたブラケット１上に、好ましくはシリコーンベースの硬化性ペーストを配置することで、シリコーンから成るトランスファートレーが作製される。
【００５６】
歯２１、２３、２７、３５、および３７に関しては、図１〜図５でそれぞれ半製品支持台５を紹介した。包括的には、上顎および／または下顎の各歯に対し、それぞれ特有にその歯に適合させた半製品支持台５を開発することができる。その代わりに、複数の歯に対して１種の半製品支持台５を使用すること、例えば歯３２、３１、４１、および４２に対して１種の半製品支持台５を使用することができる。
【００５７】
図１１に基づく半製品支持台ライブラリー１９は、各列に１６個の半製品支持台容器２１を含んでおり、半製品支持台容器内にはそれぞれ１種の歯に対して半製品支持台５が配置されている。つまり一方の側の８番からもう一方の側の８番まで、それぞれに半製品支持台５が設けられている。代替策としての一実施形態では、半製品支持台ライブラリー１９は各列に１４個の半製品支持台容器２１を含んでおり、半製品支持台容器内にはそれぞれ１種の歯（７番〜７番）に対して半製品支持台５が配置されている。つまり一方の側の７番からもう一方の側の７番まで、それぞれに半製品支持台５が設けられている。
【００５８】
本発明の枠内では、マトリクス状の配置とは横列と縦列での配置のことである。
【００５９】
ブラケット本体ライブラリー２３は、ブラケット本体容器２５を、その中に配置されたブラケット本体７と共に含んでいる。これに関し、ブラケット本体容器２５またはその中に配置されたブラケット本体７は、３つのパラメータ（切断面と溝の間隔、近心−遠心軸に対する角度、咬合−歯肉軸に対する角度）のパラメータ値に基づいて分類されている。半製品ブラケット本体９のブラケット本体ライブラリー２３では、包括的には３つすべてのパラメータを変化させることができる。つまり例えば、図１２のブラケット本体ライブラリー２３を、トルクおよびローテーションに関しては同じ値で新たに作製することができ、ただしこの場合、第３のパラメータ（切断面と溝の間隔）を変化させており、例えば１ｍｍ大きくまたは小さくしている。こうすることで図１２のブラケット本体ライブラリー２３が２つになり、すなわちより大きな間隔のものが１つと、より小さな間隔のものが１つになり、これにより新たなブラケット本体ライブラリー２３が形成されている。したがって図１２のマトリクス状の配置は、さらなるパラメータが変化する第３の次元に広げられている。この包括的な形式は、実際には必要ないのが普通である。なぜなら切断面と溝の間隔は、できあがったブラケット１が患者をできるだけ煩わさないよう常に可能な限り小さくあるべきなので、図１２の、切断面と溝の間隔が可能な限り小さいブラケット本体ライブラリー２３で十分であり得る。
【００６０】
患者固有のブラケット本体７の作製方法は、包括的には下記のステップを含むことが有利である。
ａ）離隔領域９ｄを有する半製品ブラケット本体９を準備するステップと、
ｂ）ブラケット本体７の適切な高さを決定するため、離隔領域９ｄを切断するための第１のパラメータを、離隔領域９ｄに生じる切断面から溝１１までの間隔に対して決定するステップと、
ｃ）ブラケット本体７の適切なトルク値を決定するため、離隔領域９ｄを切断するための第２のパラメータを、近心−遠心軸に対する切断角度に対して決定するステップと、
ｄ）ブラケット本体７の適切なローテーション値を決定するため、離隔領域９ｄを切断するための第３のパラメータを、咬合−歯肉軸に対する切断角度に対して決定するステップと、
ｅ）決定された３つのパラメータに対応して離隔領域（９ｄ）を切断し、これによりブラケット本体７が作製されるステップ。
【００６１】
ブラケット本体９は、ステップａ）でＭＩＭ法もしくはＳｅｌｅｃｔｉｖｅ−Ｌａｓｅｒ−Ｍｅｌｔｉｎｇ法によって準備され、かつ／または生体適合性の金属もしくは生体適合性の合金、特にチタン、金、銀、ステンレス鋼、もしくはコバルトクロム合金から準備されるのが好ましい。
【００６２】
ステップｅ）での切断は、鋸を用いて行われるのが有利である。
【００６３】
ステップｂ）〜ｄ）でのパラメータの決定は、一形態では患者に対して個別に行われる。
【００６４】
別の一形態では、ステップｂ）〜ｄ）でのパラメータは、それぞれの様々なパラメータ値を有するブラケット本体７が中に配置されているブラケット本体ライブラリー２３を作るため、それぞれ所定の範囲において所定の間隔で変化をつけられている。
【００６５】
ブラケット本体７は、ブラケット本体７を収容するためのブラケット本体容器２５を備えた、半製品ブラケット本体９のブラケット本体ライブラリー２３内に準備されるのが好ましく、このブラケット本体容器２５は、マトリクス状に配置されている。ブラケット本体容器２５内にはブラケット本体７が配置されている。ブラケット本体７は、有利には横列ごとに一方のパラメータに基づいて、縦列ごとにもう一方のパラメータに基づいて分類されて、ブラケット本体容器２５内に配置されている。両方のパラメータは、それぞれ選択された範囲において選択された間隔で変化をつけられているのが好ましい。パラメータの一方が第３または第２のパラメータであり、もう一方のパラメータが第２または第３のパラメータであることが有利である。
【００６６】
要するに患者固有の支持台および患者固有のブラケット本体を備えた患者固有のブラケットを作製するための有利な方法は、下記のステップに区分することができる。
【００６７】
１．半製品支持台ライブラリーを作るステップ
−  好ましくは平らな支持台材料領域を準備し、
−  支持台材料領域から歯固有の半製品支持台を打ち抜くため、少なくとも１つの抜き型を備えた型抜き機を準備し、
−  型抜き機を用いて支持台材料領域から歯固有の半製品支持台を打ち抜き、
−  任意選択で、半製品支持台を予備調整する。
【００６８】
２．ブラケット本体ライブラリーを作るステップ
−  離隔領域を有するブラケット本体を準備し、
−  場合によっては、半製品ブラケット本体に非常に精密な溝を作製し（例えばワイヤ放電加工により）、
−  ３つのパラメータに対して選択されたパラメータ値で、離隔領域を分断する。
【００６９】
３．患者の治療すべき上顎および／または下顎の、特に石膏から成る患者固有の目標セットアップを作製するステップ。
【００７０】
４．患者の治療すべき歯のために、半製品支持台ライブラリーから半製品支持台を選択するステップ。
【００７１】
５．支持台に対し、患者の臨床の歯との形状結合を可能にする歯固有の接着面を作製するため、半製品支持台と目標セットアップでの関連する歯との隙間を、特にプラスチックから成る充填材料で埋めるステップ。
【００７２】
６．それぞれの支持台のために、ブラケット本体ライブラリーからブラケット本体を選択するステップ。
【００７３】
７．患者固有のブラケットを形成するため、支持台にブラケット本体を固定するステップ。
【００７４】
ただしプロセスステップをこの順番で実施する必要はない。よって例えば、代替策として最初に半製品支持台５をその関連するブラケット本体７と結合し、こうしてから次いで接着面３Ｋを形成することができる。
【符号の説明】
【００７５】
１  ブラケット
３  支持台
３Ｋ  支持台の接着面
５  半製品支持台
５ｍ  半製品支持台の近心の（翼）領域
５ｄ  半製品支持台の遠心の（翼）領域
５ｏ  半製品支持台の咬合領域
５Ｕ  頬／舌側の輪郭
７  ブラケット本体
９  半製品ブラケット本体
９ｄ  半製品ブラケット本体の離隔領域
９ｆ  半製品ブラケット本体の固定領域
１０  切断面
１１  溝
１３  掛け鉤
１５  翼部
１７  小管
１９  半製品支持台ライブラリー
２１  半製品支持台容器
２３  ブラケット本体ライブラリー
２５  ブラケット本体容器
２７  隙間
【図６ａ】
2014512860.tif 000003
【図８ａ】
2014512860.tif 000004
【図９】
2014512860.tif 000005
【図１０】
2014512860.tif 000006
【図１１】
2014512860.tif 000007
【図１】
2014512860.tif 000008
【図２】
2014512860.tif 000009
【図３】
2014512860.tif 000010
【図４】
2014512860.tif 000011
【図５】
2014512860.tif 000012
【図６】
2014512860.tif 000013
【図７】
2014512860.tif 000014
【図８】
2014512860.tif 000015
【図１２】
2014512860.tif 000016
【国際調査報告】
2014512860.tif 000017
2014512860.tif 000018
2014512860.tif 000019
2014512860.tif 000020
2014512860.tif 000021
2014512860.tif 000022